(57)【要約】【課題】発光装置の小型化、薄型化を実現しながら、発光装置における樹脂と樹脂、リードフレーム、ワイヤ等との間の隙間の発生を防止することができる構造を採用し、発光装置に用いられている銀を含有する金属部材の硫化を阻止するとともに、より効率的に発光素子から出射された光を取り出すことができる発光装置を提供することを目的とする。【解決手段】複数の発光素子１１ａ、１１ｂと、発光素子が搭載された複数のリードフレーム１２ａ、１２ｂ及び、樹脂によって成形され、開口１３ａを備え、リードフレームの一部がその内部に埋設されかつ他の一部が前記開口１３ａの底面で露出するパッケージ１３を含み、パッケージ１３の開口１３ａ底面に、樹脂を露出した樹脂底面１３ｅが存在し、開口内の発光素子間に開口底面から突出する壁部１３ｂを有し、発光素子は壁部１３ｂを跨いでワイヤが接続されている発光装置。【選択図】図１Ａ
2013179273.tif 000002
【特許請求の範囲】
【請求項１】
複数の発光素子と、
該発光素子が搭載された複数のリードフレーム及び、
樹脂によって成形され、開口を備え、前記リードフレームの一部がその内部に埋設されかつ他の一部が前記開口の底面で露出するパッケージを含んでなり、
該パッケージの開口の底面に、前記樹脂を露出した樹脂底面が存在し、
前記開口内の発光素子間に、前記開口の底面から突出する壁部を有し、
前記発光素子は、前記壁部を跨いでワイヤが接続されていることを特徴とする発光装置。
【請求項２】
前記パッケージは長手方向及び短手方向に沿って設けられ、前記樹脂底面は、長手方向で幅が異なる請求項１に記載の発光装置。
【請求項３】
前記樹脂底面は、壁部に近づくにつれて幅狭となる請求項１又は２に記載の発光装置。
【請求項４】
前記壁部は、搭載された発光素子の高さと同等又はそれよりも低い請求項１〜３のいずれか１つに記載の発光装置。
【請求項５】
前記パッケージは長手方向に延びる形状を有し、前記開口は、長手方向に沿って設けられた長側面を有しており、前記樹脂底面は、長側面に隣接して配置されている請求項１〜４のいずれか１つに記載の発光装置。
【請求項６】
前記壁部は、長手方向に延びるパッケージに配置された開口における長手方向に沿って設けられた一対の長側面に連結され、かつ底面に近づくにつれて、該長手方向に幅広である請求項１〜５のいずれか１つに記載の発光装置。
【請求項７】
前記パッケージの開口の底面であって、前記壁部に隣接する部位は、前記リードフレームの露出面で占められている請求項１〜６のいずれか１つに記載の発光装置。
【請求項８】
前記壁部は、リードフレーム間に配置されている請求項１〜７のいずれか１つに記載の発光装置。
【請求項９】
前記壁部は、リードフレーム間からリードフレーム上に配置されている請求項１〜８のいずれか１つに記載の発光装置。
【請求項１０】
前記開口は、透光性樹脂が埋設されており、該透光性樹脂は、弾性率が１０ＭＰａ以下である請求項１〜９のいずれか１つに記載の発光装置。
【請求項１１】
前記一方の発光素子は、外周に近接する第１のワイヤボンディング点を有し、他方の発光素子は、発光領域の内側に偏在した第２ワイヤボンディング点を有し、前記第１のワイヤボンディング点が、壁部に隣接し、該壁部を跨いで、前記第２のワイヤボンディング点とボンディングされ、かつ、ワイヤの最高部位が、第１のワイヤボンディング点にボンディングされた発光素子側に偏在している請求項１〜１０のいずれか１つに記載の発光装置。
【請求項１２】
前記一方の発光素子は、外周に近接する第１のワイヤボンディング点を有し、他方の発光素子は、発光領域の内側に偏在した第２ワイヤボンディング点を有し、前記第１のワイヤボンディング点が、壁部に隣接し、該壁部を跨いで、前記第２のワイヤボンディング点とボンディングされ、かつ、ワイヤの最高部位が、第２のワイヤボンディング点にボンディングされた発光素子側に偏在している請求項１〜１０のいずれか１つに記載の発光装置。
【請求項１３】
前記ワイヤが、銀又は銀合金からなる請求項１〜１２のいずれか１つに記載の発光装置。
【発明の詳細な説明】
【技術分野】
【０００１】
本発明は、発光装置に関する。
【背景技術】
【０００２】
近年、高輝度、高出力の発光素子及び小型の発光装置が開発され、種々の分野に利用されている。このような発光装置は、小型、低消費電力や軽量等の特徴を生かして、例えば、携帯電話及び液晶バックライトの光源、各種メーターの光源及び各種読みとりセンサ等に利用され、より小型化及びより高輝度を実現するために、種々の工夫がなされている（例えば、特許文献１及び２等）。
【０００３】
その一例として、例えば、リードフレームとして用いられる金属部材又はワイヤボンディングに用いられるワイヤ等として銀又は銀合金製の金属部材又はワイヤが用いられている。これにより、発光素子からの光の吸収をより抑制し、効率的に光を反射させて、取り出す方法が提案されている。
また、これら銀又は銀合金の硫化を防止するために、発光素子を封止するための樹脂及びパッケージ材料について種々提案されている（例えば、特許文献３及び４等）。
【先行技術文献】
【特許文献】
【０００４】
【特許文献１】特開２０１１−２４９８０７号公報
【特許文献２】特開２００８−１５３６１０号公報
【特許文献３】特開２０１１−２５６３２６号公報
【特許文献４】特開２０１１−１７８９８３号公報
【発明の概要】
【発明が解決しようとする課題】
【０００５】
しかし、一般に、銀及び銀合金を、リードフレーム及びワイヤ等の材料として用いると、それら部材の硫化が生じ、それに伴って、発光素子からの光の吸収が起こり、結局、効率的な光の反射が阻害されるという問題がある。
しかも、銀の硫化を顕著に抑制することができる組成の樹脂を用いても、このような硫化は、樹脂と樹脂又は樹脂とリードフレーム等の極わずかな隙間から侵入する気体又は液体等によって開始され、拡大するため、結局、有効な硫化抑制が実現されていないのが現状である。
【０００６】
本発明はこのような課題を解決するためになされたもので、発光装置の小型化、薄型化を実現しながら、発光装置における樹脂と樹脂、樹脂とリードフレーム、ワイヤ等との間の隙間の発生を効果的に防止することができる構造を採用することにより、発光装置に用いられている銀を含有する金属部材の硫化を阻止するとともに、その構造と相まって、より効率的に発光素子から出射された光を取り出すことができる発光装置を提供することを目的とする。
【課題を解決するための手段】
【０００７】
本発明は以下の発明を含む。
〔１〕複数の発光素子と、
該発光素子が搭載された複数のリードフレーム及び、
樹脂によって成形され、開口を備え、前記リードフレームの一部がその内部に埋設されかつ他の一部が前記開口の底面で露出するパッケージを含んでなり、
該パッケージの開口の底面に、前記樹脂を露出した樹脂底面が存在し、
前記開口内の発光素子間に、前記開口の底面から突出する壁部を有し、
前記発光素子は、前記壁部を跨いでワイヤが接続されていることを特徴とする発光装置。
〔２〕前記パッケージは長手方向及び短手方向に沿って設けられ、前記樹脂底面は、長手方向で幅が異なる〔１〕に記載の発光装置。
〔３〕前記樹脂底面は、壁部に近づくにつれて幅狭となる〔１〕又は〔２〕に記載の発光装置。
〔４〕前記壁部は、搭載された発光素子の高さと同等又はそれよりも低い〔１〕〜〔３〕のいずれか１つに記載の発光装置。
〔５〕前記パッケージは長手方向に延びる形状を有し、前記開口は、長手方向に沿って設けられた長側面を有しており、前記樹脂底面は、長側面に隣接して配置されている〔１〕〜〔４〕のいずれか１つに記載の発光装置。
〔６〕前記壁部は、長手方向に延びるパッケージに配置された開口における長手方向に沿って設けられた一対の長側面に連結され、かつ底面に近づくにつれて、該長手方向に幅広である〔１〕〜〔５〕のいずれか１つに記載の発光装置。
〔７〕前記パッケージの開口の底面であって、前記壁部に隣接する部位は、前記リードフレームの露出面で占められている〔１〕〜〔６〕のいずれか１つに記載の発光装置。
〔８〕前記壁部は、リードフレーム間に配置されている〔１〕〜〔７〕のいずれか１つに記載の発光装置。
〔９〕前記壁部は、リードフレーム間からリードフレーム上に配置されている〔１〕〜〔８〕のいずれか１つに記載の発光装置。
〔１０〕前記開口は、透光性樹脂が埋設されており、該透光性樹脂は、弾性率が１０ＭＰａ以下である〔１〕〜〔９〕のいずれか１つに記載の発光装置。
〔１１〕前記一方の発光素子は、外周に近接する第１のワイヤボンディング点を有し、他方の発光素子は、発光領域の内側に偏在した第２ワイヤボンディング点を有し、前記第１のワイヤボンディング点が、壁部に隣接し、該壁部を跨いで、前記第２のワイヤボンディング点とボンディングされ、かつ、ワイヤの最高部位が、第１のワイヤボンディング点にボンディングされた発光素子側に偏在している〔１〕〜〔１０〕のいずれか１つに記載の発光装置。
〔１２〕前記一方の発光素子は、外周に近接する第１のワイヤボンディング点を有し、他方の発光素子は、発光領域の内側に偏在した第２ワイヤボンディング点を有し、前記第１のワイヤボンディング点が、壁部に隣接し、該壁部を跨いで、前記第２のワイヤボンディング点とボンディングされ、かつ、ワイヤの最高部位が、第２のワイヤボンディング点にボンディングされた発光素子側に偏在している〔１〕〜〔１０〕のいずれか１つに記載の発光装置。
〔１３〕前記ワイヤが、銀又は銀合金からなる〔１〕〜〔１２〕のいずれか１つに記載の発光装置。
〔１４〕前記パッケージは長手方向及び短手方向に延び、前記開口は、短手方向に沿って設けられた短側面を有しており、
前記壁部は、長手方向に延設されたパッケージに配置された開口における長手方向に沿って設けられた一対の長側面に連結され、かつ前記パッケージの短手方向に面する側面を有しており、
前記開口の短側面は、前記壁部の側面よりも大きな傾斜角度で傾斜している〔１〕〜〔１３〕のいずれか１つに記載の発光装置。
【発明の効果】
【０００８】
本発明の発光装置によれば、発光装置の小型化、薄型化を実現しながら、発光装置における樹脂と樹脂、樹脂とリードフレーム又はワイヤ等との間の隙間の発生を効果的に防止することができ、これによって、パッケージを構成する又はパッケージ内に存在する金属製の部材における腐食及び硫化を確実に防止し、より高輝度を実現した、品質の高い発光装置を提供することができる。
【図面の簡単な説明】
【０００９】
【図１Ａ】本発明の発光装置を説明するための光取出面（光放射面）からみた概略平面図である。
【図１Ｂ】図１の発光装置のＡ−Ａ’線断面図である。
【図２】図１の発光装置の側面図Ａ、上面図Ｂ、底面図Ｃ、側面図Ｄである。
【図３】本発明の壁部と開口短側面との傾斜を説明するための発光装置の概略断面図である。
【図４】本発明の発光装置のける発光素子間のワイヤの接続状態を説明するための発光装置の要部の概略断面図である。
【発明を実施するための形態】
【００１０】
本発明の発光装置は、例えば、図１に示したように、主として、複数の発光素子１１ａ、１１ｂと、リードフレーム１２ａ、１２ｂと、パッケージ１３とから構成される。このような発光装置は、いわゆるサイドビュー型発光装置であることが好ましい。つまり、実装面と略垂直方向に光放射面（光取り出し面、以下、「上面」ということがある）を有する発光装置として実装し得るものであることが好ましい。
【００１１】
＜発光素子＞
発光素子は、通常、半導体発光素子であり、特に、いわゆる発光ダイオードと呼ばれる素子であればどのようなものでもよい。例えば、基板上に、ＩｎＮ、ＡｌＮ、ＧａＮ、ＩｎＧａＮ、ＡｌＧａＮ、ＩｎＧａＡｌＮ等の窒化物半導体、III-V族化合物半導体、II-VI族化合物半導体等、種々の半導体によって、活性層を含む積層構造が形成されたものが挙げられる。半導体の構造としては、ＭＩＳ接合、ＰＩＮ接合、ＰＮ接合などのホモ構造、ヘテロ結合あるいはダブルヘテロ結合のものが挙げられる。また、半導体活性層を量子効果が生ずる薄膜に形成させた単一量子井戸構造、多重量子井戸構造としてもよい。活性層には、Ｓｉ、Ｇｅ等のドナー不純物及び／又はＺｎ、Ｍｇ等のアクセプター不純物がドープされる場合もある。得られる発光素子の発光波長は、半導体の材料、混晶比、活性層のＩｎＧａＮのＩｎ含有量、活性層にドープする不純物の種類を変化させるなどによって、紫外領域から赤色まで変化させることができる。
【００１２】
発光素子は、後述するリードフレームに搭載され、そのために、接合部材が用いられる。例えば、青及び緑発光を有し、サファイア基板上に窒化物半導体を成長させて形成された発光素子の場合には、エポキシ樹脂、シリコーン等を用いることができる。また、発光素子からの光や熱による劣化を考慮して、発光素子裏面にＡｌメッキをしてもよいし、樹脂に代えて、Ａｕ−Ｓｎ共晶などの半田、低融点金属等のろう材を用いてもよい。さらに、ＧａＡｓ等からなり、赤色発光を有する発光素子のように、両面に電極が形成された発光素子の場合には、銀、金、パラジウムなどの導電性ペースト等によってダイボンディングしてもよい。
【００１３】
本発明の発光装置では、発光素子は、２以上の複数個搭載されていればよい。この場合には、異なる発光色の光を発する発光素子を組み合わせてもよいし、同じ発光色の光を発する発光素子を組み合わせてもよい。例えば、ＲＧＢに対応するように、発光色の異なる発光素子を複数個組み合わせることにより、色再現性を向上させることができる。また、発光色の同じ発光素子を複数個組み合わせることにより、光度を向上させることができる。
なお、発光素子は、フェイスアップ実装及びフリップチップ実装等によって発光装置に搭載されるが、フェイスアップ実装、つまり、発光素子の基板（又は半導体層）に対して同じ面側に一対の電極が形成され、その電極が形成された面を、光出射面に向けて実装するタイプのものが好ましい。
この場合、通常、発光素子は、一対の電極にワイヤボンディングするために、これらの電極に対応するパッド電極が形成されている。パッド電極は、一方が発光素子の外周に近接して、他方が発光素子の内側に偏在したものが好ましい。このようなパッド電極の配置により、発光素子から出射される光のワイヤによる吸収を最小限に止めながら、発光素子を構成する半導体層への均一な電力供給を図ることができる。
また、パッド電極は、ワイヤとのボンディング性を考慮して、その最表面を、金、白金、アルミニウム、ロジウム、イリジウム、ルテニウム、銀またはこれらの合金などで形成することが好ましく、金、白金、アルミニウムまたはこれらの合金で形成することがさらに好ましい。
【００１４】
＜リードフレーム＞
リードフレームは、発光素子を搭載するための部材である。また、発光素子と電気的に接続される電極及びリード端子としての役割も果たす。そのために、リードフレームは、その一部が後述するパッケージ内部に埋設されて固定され、別の一部が発光素子を載置し、電気的な接続をとるためにパッケージの開口内（その底面）で露出し、さらに他の一部がパッケージ内から外に突出している。リードフレームの開口底面における一部表面の露出により、発光素子からの光を反射させ、効率よく正面方向へと取り出すことができる。
【００１５】
なお、後述するように、開口の底面に露出するリードフレームは、開口の形状に従って又は開口の形状にかかわらず、その幅が異なっていてもよい。その場合、開口の末端側において幅狭であり、中央部に向かうに従って幅広となっていることが好ましい。ここでの幅の変動は、上述した電極及び電力を供給するリード端子としての機能を確保することができる範囲内であることが必要であり、例えば、最も幅広の幅に対して、３０％以内、好ましくは２０％以内の幅変動が挙げられる。
【００１６】
リードフレームは、通常、１つの発光装置において２つ以上備えられており、さらに発光素子の数＋１つ以上、あるいは、発光素子数の２倍以上であってもよい。例えば、発光素子が２つ搭載される場合には、２つのリードフレームの双方に１つずつ発光素子を載置し、一方の発光素子は、それが載置された一方のリードフレームと１つの電極で電気的に接続され、かつ他方の発光素子は、それが載置された他方のリードフレームと１つの電極で電気的に接続され、リードフレームと接続されていない発光素子の電極同士が互いに電気的に接続される。
なお、複数のリードフレームは、上述した発光素子の電極との電気的な接続以外、実質的に電気的に分離されてパッケージ内に配置されている。
【００１７】
リードフレームは、実質的に板状であればよく、波形板状、凹凸を有する板状であってもよい。材料は特に限定されず、発光素子に適当な電力を供給することができるような材料等であればよい。また、熱伝導率の比較的大きな材料で形成することが好ましい。このような材料で形成することにより、発光素子で発生する熱を効率的に逃がすことができる。例えば、２００Ｗ／（ｍ・Ｋ）程度以上の熱伝導率を有しているもの、比較的大きい機械的強度を有するもの、あるいは打ち抜きプレス加工又はエッチング加工等が容易な材料が好ましい。具体的には、銅、アルミニウム、金、銀、タングステン、鉄、ニッケル等の金属又は鉄−ニッケル合金、燐青銅等の合金等が挙げられる。また、リードフレームの表面には、搭載される発光素子からの光を効率よく取り出すために反射メッキ（例えば、銀又は銀合金による）が施されていることが好ましい。リードフレームの大きさ、厚み、形状等は、得ようとする発光装置の大きさ、形状等を考慮して適宜調整することができる。
【００１８】
リードフレームのパッケージ外におよぶ部位（つまり、リード端子）は、発光装置に搭載される発光素子の放熱性及び発光装置の使用態様（配置空間、配置位置など）を考慮して、その形状、大きさ等を適宜調整することができる。また、リード端子は、他の電子機器との位置関係などの使用態様に応じて、適宜屈曲、変形させることができる。
【００１９】
リードフレームは、発光素子と電気的に接続されずに発光素子を載置するのみ、発光素子が載置されない、発光素子と電気的に接続されないものであってもよい。このようなリードフレームは、例えば、その一端が、リード端子として機能する部分よりも表面積が大きいことが好ましい。これにより、パッケージ内で発光素子から生じた熱を外部に導く放熱経路として、また、過電圧対策として機能させることができる。
【００２０】
＜パッケージ＞
パッケージは、発光素子を保護するとともにリードフレームを一体的に固定し、発光素子及びリードフレームに対して絶縁性を確保するための部材である。
そのために、パッケージは、これらの機能を確保することができるものであれば、どのような材料で形成されていてもよい。例えば、熱可塑性樹脂、熱硬化性樹脂等の樹脂、セラミックス等が挙げられる。樹脂としては、ポリイミド（ＰＩ）、ポリアミド（ＰＡ）、ポリカーボネート樹脂、ポリフェニレンサルファイド（ＰＰＳ）、液晶ポリマー（ＬＣＰ）、ＡＢＳ樹脂、エポキシ樹脂、フェノール樹脂、アクリル樹脂、ＰＢＴ樹脂、当該分野でパッケージ材料として利用されている樹脂（例えば、特開２０１１−２５６３２６号、特開２０１１−１７８９８３号等に記載の樹脂）等が挙げられる。また、これらの材料には、着色剤又は光拡散剤として、種々の染料又は顔料等を混合して用いてもよい。これにより、パッケージに吸収される発光素子から出射される光を最小限に止め又は反射率の高い白色パッケージを構成することができる。着色剤としては、Ｃｒ2Ｏ3、ＭｎＯ2、Ｆｅ2Ｏ3、カーボンブラック等が挙げられる。光拡散剤としては、炭酸カルシウム、酸化アルミニウム、酸化チタン等が挙げられる。
パッケージには、通常、後述する開口に透光性樹脂が埋め込まれるため、発光素子等から生じた熱の影響を受けた場合のパッケージと透光性樹脂との密着性等を考慮して、これらの熱膨張係数の差の小さいものを選択することが好ましい。
【００２１】
パッケージの大きさ及び形状は特に限定されるものではなく、平面視における外形状（平面形状）としては、例えば、円、楕円、三角形、四角形、多角形又はこれらに近似する形状等が挙げられる。なかでも、長手方向に延びる形状が好ましく、特に、長手方向に延び、平面視が四角形又は四角形に近似する形状であることがより好ましい。
【００２２】
（開口）
ただし、パッケージの表面には、開口が形成されており、この開口は、発光素子を搭載し、発光素子からの光を取り出すために形成されている。この開口の形状は特に限定されるものではなく、円、楕円、三角形、四角形もしくは多角形柱、ドーム状、碗状等又はこれらに近似する形状等いずれでもよい。なかでも、長手方向に延びる形状が好ましく、特に、長手方向に延長する、平面視が四角形、四角形に近似する多角形又は近似する形状であることがより好ましい。
また、開口が長手方向に沿って設けられている場合、その幅は、長手方向において異なっていてもよいし、略同程度でもよい。
【００２３】
開口は、少なくとも、長手方向に沿って設けられた長側面を１つ又は一対有していることが好ましい。また、開口は、短手方向に沿って延びる短側面を１つ又は一対有していることが好ましい。このような長側面及び／又は短側面を含む開口の側面は、垂直であってもよいが、その一部又は全部が、通常、底面に近づくにつれて、開口が幅狭となるように傾斜している。このような傾斜により、発光素子から出射された光を効率的に、取り出し面の方向（上面方向）に反射させることができる。このような側面は、その部位によって、異なる傾斜角度で傾斜していてもよい。例えば、側面の傾斜角度は、長手方向の末端部（例えば、短側面）において最小であることが好ましい。短側面の傾斜角度（図３中、短側面１３ｃの傾斜角度α）が長側面の傾斜角度よりも小さい場合、実装した発光装置において、その高さを最小限に設定しながら、長手方向の末端部において、効率的に光を反射させて、光出射を向上させることができる。例えば、短側面の傾斜角度（図３中、α）は、開口底面に対して、３０〜７０°程度であることが好ましく、４０〜６０°程度であることがより好ましい。長側面の傾斜角度は、これよりも大きいことが好ましい。傾斜に伴う発光装置の占有空間の増大を最小限に止めるためである。
【００２４】
開口の大きさ及び深さ等は、搭載する発光素子の数、ボンディング方法等によって適宜調整することができる。例えば、深さは、上述した発光素子の厚みの１．５〜１０倍程度が好ましく、１．５〜５倍程度、２〜５倍程度がより好ましい。具体的には、深さは、０．１〜１ｍｍ程度、０．２〜０．６ｍｍ程度、さらに好ましくは０．２５〜０．３５ｍｍ程度が挙げられる。開口の底面及び／又は側面は、エンボス加工又はプラズマ処理などで、接着面積を増加させ、後述する透光性樹脂との密着性を向上させることが好ましい。
【００２５】
（開口内壁部）
パッケージは、開口内であって、搭載された発光素子間に、開口の底面から突出する壁部を有している。壁部は、発光素子の数に応じて、１つ又は複数あってもよい。開口が壁部を有することにより、開口を構成する空間が分断されることとなり、後述するように、通常、開口内に埋め込まれる透光性樹脂の熱膨張又は収縮をより狭い空間により効果的に抑えることが可能となる。
壁部は、搭載された発光素子の高さと同等又はそれよりも低いことが好ましい。開口の深さを大きくすることなく、かつワイヤを安定に形成した上で、開口を構成する空間が分断され易くなるためである。
【００２６】
壁部は、リードフレーム間において配置されていることが好ましい（図１Ｂの壁部１３ｂ参照）。言い換えると、壁部を利用することによって、リードフレームが実質的に電気的に分離されていることが好ましい。ただし、壁部はリードフレーム間に存在する限り、その一部がリードフレーム上に及んでいてもよい（図１Ｂの壁部１３ｂ参照）。壁部の一部がリードフレーム上に及んでいる場合には、パッケージを構成する樹脂とリードフレームの密着性を向上させ、リードフレームのパッケージへの固定をより強固とすることができる。
【００２７】
壁部は、長手方向に延びるパッケージに配置された開口における長手方向に沿って設けられた一対の長側面の双方に連結されていることが好ましい。このように壁部が長側面に連結されることにより、開口を構成する空間が分断されることとなり、通常、開口内に埋め込まれる透光性樹脂の熱膨張又は収縮をより狭い空間により効果的に抑えることが可能となる。
また、壁部は、底面に近づくにつれて幅広であることが好ましい。この場合の幅広とは、上述したように、壁部が長側面に連結されている場合には、長手方向において幅が広くなることが好ましい。なお、壁部は、その高さ方向の全体が長側面に連結されていることが好ましいが、開口の底面及びその近傍において又は壁部高さの下方の一部において、長側面に連結されていてもよい。この場合には、壁部は、底面に近づくにつれて、一対の長側面を連結する方向（例えば、長側面の延長方向に対して交差する方向）に対して幅広となっていてもよい。
【００２８】
壁部の長手方向に幅広となる程度は、例えば、壁部側面の傾斜角度（図３中、壁部１３ｂの傾斜角度β）が、開口底面に対して４０〜７０°程度であることが好ましく、５０〜６０°程度であることがより好ましい。このような傾斜角度とすることにより、壁部に照射された発光素子からの光を、取り出し方向に効率的に反射させることができる。ただし、壁部側面の傾斜角度（図３中、β）は、長手方向の末端部側面（短側面１３ｃ）の傾斜角度（図３中、α）よりも、大きいことが好ましい。
例えば、壁部の大きさは、用いる発光装置の大きさ等によって適宜調整することができるが、上面部において０．０５〜０．２ｍｍ程度の幅、底面部において０．３〜０．５ｍｍ程度の幅、０．１〜０．１７ｍｍ程度の高さが挙げられる。
【００２９】
（開口底面）
開口の底面は、リードフレームの一部表面に加え、樹脂を露出した樹脂底面を有している。樹脂底面は、長側面に隣接して又は長側面に沿って配置されていることが好ましい。樹脂底面は、長側面の長さの３０〜１００％程度の長さを有していればよく、４０〜９０％程度が好ましく、５０〜８０％程度がより好ましい。このような樹脂底面が配置されていることにより、パッケージ樹脂を、後述する透光性樹脂とより密着させることが可能となる。特に、樹脂が開口底面まで露出している場合には、パッケージを構成する樹脂と、リードフレームと後述する透光性樹脂との３つの境界をエッジ部分に存在させることがなくなるために、パッケージを構成する樹脂と透光性樹脂との間の剥がれ又は微細な隙間が生じた場合においても、そのような隙間を通じて侵入し得る湿気、ガス、塵芥の、リードフレームへの接触を有効に防止することが可能となり、極めて有効に銀の硫化問題を回避することができる。
【００３０】
樹脂底面の幅は、例えば、開口の最大幅の１〜３０％程度が適しており、２〜２０％程度が適している。また、樹脂底面は、長手方向で幅が異なることが好ましい。長手方向で異なる幅は、この範囲内での変動が好ましく、特に、最も幅広の樹脂底面の幅に対して、最も幅狭の樹脂底面の幅は、１０〜５０％程度が好ましく、２０〜４０％程度がより好ましい。
特に、樹脂底面は、長手方向の末端の部位から、後述する開口の底面から突出する壁部に向かって、幅が異なることが好ましく、幅が、壁部に近づくにつれて幅狭となることがより好ましい。
【００３１】
ただし、上述したように、パッケージの開口内において、底面から突出する壁部が形成されている場合には、長側面に隣接又は長側面に沿う部位であっても、壁部及びそれに隣接する底面部位において、樹脂底面が存在していなくてもよい。言い換えると、壁部に隣接する開口の底面の部位は、リードフレームの露出面で占められていることが好ましい。
長側面に隣接又は長側面に沿う樹脂底面は、長手方向において、２以上に分断されていてもよい。壁部の存在により、壁部近傍においては、パッケージを構成する樹脂と透光性樹脂との剥がれを有効に防止することができるためである。つまり、透光性樹脂は一般に、後述するように、パッケージを構成する樹脂に比較して熱膨張又は収縮しやすい傾向があるが、壁部近傍では、このような透光性樹脂を三方向から画定することができるために、剥がれを招くほどの熱膨張及び収縮を抑制することができる。
【００３２】
（外壁）
パッケージは、その外表面の一部において凹部が形成されていることが好ましい。ここでの凹部は、パッケージの壁の内表面（開口）にまで及んで、内表面（開口）に凸部が形成されるように、形成されていてもよい。このような凹部によって、発光装置内に存在するスペース（例えば、デッドスペース）をより有効に利用することができ、さらなる発光装置の小型化を図ることができる。
【００３３】
凹部の大きさ及び形状は特に限定されないが、例えば、パッケージの外部に突出したリードフレームの一部がこの凹部内に収容される程度の空間が確保されていればよい。さらに、リードフレームの一部が凹部内に収容され、その表面の一部が、パッケージの壁の外表面と面一となる程度の空間が確保されていることが好ましい。ここで、面一とは、回路基板などの実装基板上に載置するのみでリード端子と回路基板とが電気的に接触し、安定して固定することができるように平坦であることを意味する。リードフレームの一部が凹部内に収容されるとは、図１Ａ及び図２に示すように、パッケージ１３のいわゆるコーナー部で切欠されたような凹部１３ｆが形成され、その凹部１３ｆにリードフレームの一部が配置される形態が挙げられる。
【００３４】
本発明の発光装置には、発光素子の他、保護素子が搭載されていてもよい。保護素子は、１つでもよいし、２つ以上の複数個でもよい。ここで、保護素子は、特に限定されるものではなく、発光装置に搭載される公知のもののいずれでもよい。具体的には、過熱、過電圧、過電流、保護回路、静電保護素子等が挙げられる。
【００３５】
（透光性樹脂）
本発明の発光装置では、発光素子が載置された開口内に、透光性樹脂が埋め込まれていることが好ましい。
透光性樹脂は、発光素子やワイヤ、導電部材の一部を、封止して、塵芥や水分、外力などから保護する部材である。透光性樹脂の母材は、発光素子から出射される光を透過可能な材料（好ましくは透過率７０％以上）で形成されていることが好ましい。
具体的には、付加又は縮合型のシリコーン樹脂、エポキシ樹脂、フェノール樹脂、ポリカーボネート樹脂、アクリル樹脂、ＡＢＳ樹脂、ポリブチレンテレフタレート樹脂、ポリフタルアミド樹脂、ポリフェニレンサルファイド樹脂、液晶ポリマー、またはこれらの樹脂を１種以上含むハイブリッド樹脂が挙げられる。
【００３６】
この透光性樹脂は、さらに上記母材に、亜鉛を含む金属塩および／または金属錯体を含むことが好ましい。亜鉛を含有することにより、特に硫黄原子を含有するガスを効果的にトラップすることができ、銀の硫化を抑制することが可能となる。
例えば、燐酸エステルまたは燐酸の亜鉛塩、燐酸エステルまたは燐酸の亜鉛塩の酸あるいはエステルを配位子として有する亜鉛錯体を含むものが挙げられる。
具体的には、亜鉛ビスアセチルアセトネート、亜鉛ビス２−エチルヘキサノエート、亜鉛（メタ）アクリレート、亜鉛ネオデカネート等のカルボン酸塩、亜鉛華、スズ酸亜鉛などを含むことが好ましい。
このような透光性樹脂を用いることにより、硫黄含有ガスが、リードフレームまたはリードフレーム表面の鍍金あるいはワイヤとして用いられる銀または銀合金へ到達して、これらが硫化することを劇的に抑制することができる。
透光性樹脂としては、例えば、特開２０１１−２５６３２６、特開２０１１−１３７１４０、特開２０１１−１７８９８３等に記載されたものを利用することができる。
【００３７】
透光性樹脂には、拡散剤又は蛍光物質を含有させてもよい。拡散剤は、光を拡散させるものであり、発光素子からの指向性を緩和させ、視野角を増大させることができる。蛍光物質は、発光素子からの光を変換させるものであり、発光素子からパッケージの外部へ出射される光の波長を変換することができる。発光素子からの光がエネルギーの高い短波長の可視光の場合、有機蛍光体であるペリレン系誘導体、ＺｎＣｄＳ：Ｃｕ、ＹＡＧ：Ｃｅ、Ｅｕ及び／又はＣｒで賦活された窒素含有ＣａＯ−Ａｌ2Ｏ3−ＳｉＯ2などの無機蛍光体など、種々好適に用いられる。本発明において、白色光を得る場合、特にＹＡＧ：Ｃｅ蛍光体を利用すると、その含有量によって青色発光素子からの光と、その光を一部吸収して補色となる黄色系が発光可能となり白色系が比較的簡単に信頼性良く形成できる。同様に、Ｅｕ及び／又はＣｒで賦活された窒素含有ＣａＯ−Ａｌ2Ｏ3−ＳｉＯ2蛍光体を利用した場合は、その含有量によって青色発光素子からの光と、その光を一部吸収して補色となる赤色系が発光可能であり白色系が比較的簡単に信頼性よく形成できる。また、蛍光体を完全に沈降させ、気泡を除くことで色むらを低減させることができる。
【００３８】
特に、透光性樹脂は、弾性率が１０ＭＰａ以下であることが好ましく、例えば、０．１〜１０ＭＰａ、０．２〜５ＭＰａ等がより好ましい。ここでの弾性率は、ＪＩＳ  Ｋ  ６９１１またはＪＩＳ  Ｋ  ６２４９に準じた方法により測定した値を意味する。このような弾性率とすることにより、開口内、特に、開口の長手方向末端部における剥がれを防止することができるとともに、ワイヤ等に負荷される応力を緩和することができる。
【００３９】
本発明の発光装置では、透光性樹脂で封止する前に、ワイヤ、発光素子、リードフレームの表面に、保護膜が被覆されていてもよい。保護膜は、発光素子から出射される光の吸収を最小限にとどめるために、発光素子から出射される波長の光の吸収性が低い材料、膜厚で形成されていることが好ましい。例えば、酸化物膜としては、Ａｌ２Ｏ３、ＳｉＯ２、ＳｉＮ、ＨｆＯ、ＴｉＯ２、ＳｉＯxＮy等が挙げられ、窒化物膜としては、ＳｉＮ、ＴｉＮ等が挙げられ、これらの単層膜又は積層膜であってもよい。なかでも、アルミナ、シリカ又はこれら化合物を含む酸化膜材料等が好ましい。また、膜厚は、３ｎｍ程度以上、１μｍ程度以下であることが好ましい。保護膜は、当該分野で公知の方法によって形成することができるが、例えば、原子層堆積法（ＡＬＤ：atomic layer deposition）を利用することが好ましい。
【００４０】
（ワイヤ）
本発明の発光装置では、発光素子に形成された一対の電極が、発光素子への電力供給のために、ワイヤによって、リードフレーム及び／又は隣接する発光素子の電極と電気的に接続されている。
ワイヤの材料及び直径などは、特に限定されるものではなく、当該分野で通常使用されているものを利用することができる。特に、発光素子の電極とのオーミック性が良好であるか、機械的接続性が良好であるか、電気伝導性及び熱伝導性が良好なものであることが好ましい。
【００４１】
ワイヤは、例えば、金、銅、白金、アルミニウム、銀等の金属及びそれらの合金を用いたもの、ワイヤ表面に銀又は銀合金を被覆したもの等を用いることができる。なかでも、反射率が高い材料としては、銀、銅、鉛、アルミニウム、白金又はこれらの合金が好ましく、銀又は銀合金がより好ましい。例えば、市販品として、銀が８７．７体積％、金が８．７体積％、パラジウムが３．６体積％のワイヤ（商品名：ＳＥＡ、田中貴金属社製）が挙げられる。
ワイヤの直径は、特に限定されるものではないが、１０μｍ〜７０μｍ程度が挙げられ、１５〜５０μｍ程度が好ましく、１８〜３０μｍ程度がより好ましい。
ワイヤの熱伝導率は、０．０１ｃａｌ／Ｓ・ｃｍ２・℃／ｃｍ程度以上が好ましく、さらに０．５ｃａｌ／Ｓ・ｃｍ２・℃／ｃｍ程度以上がより好ましい。
【００４２】
ワイヤは、通常、そのボンディング方法によって、発光装置において種々の形態を採り得る。本発明においては、発光素子間を接続するワイヤは、上述した開口内に配置された壁部を跨いで接続されていることが好ましい。開口内であって、上述した封止のための透光性樹脂が最も熱膨張又は熱収縮するであろうと考えられる部位において、壁部を跨ぐことにより、壁部の占有によりその熱膨張又は熱収縮を抑制することができるため、ワイヤに対する応力を緩和することができるからである。
【００４３】
また、発光素子の電極間又は発光素子の電極とリードフレームとの間、つまり、それらのボンディング点間の接続において、ワイヤの最高部位が一方のボンディング点に偏在していることが好ましい。発光素子の電極間におけるボンディングにおいては、ワイヤの最高部位が一方の発光素子側に偏在していることがより好ましい。
【００４４】
例えば、図４Ａでは、ｎ側パッド電極２が発光素子１１ａ、１１ｂの外周に近接し、ｐ側パッド電極３が発光素子１１ａ、１１ｂの発光領域上であって発光素子１１ａ、１１ｂの内側に偏在している。そして一方の発光素子１１ｂの外周に近接して設けられたｎ側パッド電極２（つまり、第１のワイヤボンディング点）が、開口内に形成されている壁部１３ｂに隣接し、この壁部１３ｂを跨いで、他方の発光素子１１ａの内側に偏在したp側パッド電極３（つまり、第２のワイヤボンディング点）との間でボンディングされている。さらに、ワイヤ１４の最高部位は、外周に近接して設けられたｎ側パッド電極２にボンディングされた一方の発光素子１１ｂ側に偏在している。このようなワイヤの形態によって、ｎ側パッド電極２からの立ち上がり部（上方に延びる部位）を安定して形成することができる。この立ち上がり部は断線しやすい部位であるが、この立ち上がり部を壁部１３ｂ近傍に配置することにより（図４Ａ中、ｍの距離が短く配置することにより）、この周辺における透光性樹脂の熱膨張又は収縮を、壁部においてより低減することができ、よって、ワイヤの立ち上がり部の断線を効果的に防止することができる。
【００４５】
一方、図４Ｂでは、図４Ａと同様の発光素子及び壁部の配置において、発光素子間を接続するワイヤ１４の最高部位が、内側に設けられたｐ側パッド電極３にボンディングされた一方の発光素子１１ａ側に偏在している。このようなワイヤの形態によって、反射性のワイヤを用いる場合、ｐ側パッド電極３からの立ち上がり部（上方に延びる部位）であって、発光領域の上方に配置するワイヤでは、光の吸収を防止することができ、ワイヤによる反射によって（図４Ｂ中ｑ参照）、より光取り出し効率を向上させることができる。また、パッド電極は、通常、光が透過しにくいが、反射性のワイヤをその上方に延ばして（つまり、立ち上がり部をｐ側パッド電極３側に配置する）、パッド電極上に占めるワイヤの割合を増加させ、ワイヤにおける光の反射によって、パッド電極上の光透過の低減を相殺し、実質的に均一な光分布を実現することができる。
【００４６】
以下に、本発明の発光装置の実施例を図面に基づいて詳細に説明する。
実施形態１
図１Ａ、１Ｂ及び図２に示すように、この実施形態の発光装置１０は、主として、複数の発光素子１１ａ、１１ｂと、リードフレーム１２ａ、１２ｂと、パッケージ１３とから構成され、サイドビュー型に構成されている。
【００４７】
発光素子１１ａ、１１ｂは、例えば、基板上に、ｎ型半導体層、発光層及びｐ型半導体層がこの順に配置され、部分的にｎ型半導体層の表面が露出し、その表面にｎ電極が形成されており、その上に配置されたｎパッド電極を有している。また、ｐ型半導体層の表面には、ｐ電極が略全面に形成され、その上に配置されたｐパッド電極を有しており、リードフレーム１２ａ、１２ｂ上にフェイスアップ実装されている。
リードフレーム１２ａ、１２ｂは、発光素子を搭載し、発光素子と電気的に接続される領域と、パッケージ１３内に埋設されて固定される領域と、その領域からパッケージの外部に突出してリード端子として機能する領域とを備えている。リードフレーム１２ａ、１２ｂは、鉄入り銅の合金からなる板状体で形成されており、その表面には、搭載される発光素子からの光を効率よく取り出すために、銀メッキが施されている。
リード端子として機能するリードフレーム１２ａ、１２ｂは、パッケージ外部において、パッケージの長手方向の末端に存在する凹部１３ｆ内に収容されるように屈曲加工されている。
リードフレーム１２ａ、１２ｂは、それぞれ、パッケージを構成する樹脂を介して互いに、後述する壁部によって分離されている。
【００４８】
パッケージ１３は、略直方体形状となるように長手方向に延びており、その光取出面（つまり、上面）に長手方向に延長する開口１３ａと、長手方向に延びる一対の長側面１３ｄと、短手方向に伸びる一対の短側面１３ｃとを有している。
また、開口１３ｃは、その底面から突出した壁部１３ｂを備えている。
開口１３ｃの深さは、例えば、０．３２〜０．３５ｍｍ程度であり、壁部１３ｂの高さは０．１２〜０．１５ｍｍ程度である。
壁部１３ｂは、開口１３ｃの長側面１３ｄの略中央付近で、一対の長側面１３ｄに連結されている。壁部１３ｂは、長手方向において、底面に近づくにつれて幅広となっている（図１Ｂ及び図３の１３ｂ参照）。例えば、壁部１３ｂの上面は０．１ｍｍ程度の幅、底面で０．４ｍｍ程度の幅に設定されている。
【００４９】
開口１３ｃの底面には、リードフレーム１２ａ、１２ｂが露出するとともに、開口１３ｃの長手方向の長側面１３ｄに隣接して、長手方向に延在する樹脂底面１３ｅが配置されている。
リードフレーム１２ａ、１２ｂは、壁部１３ｂに隣接する部位においては、開口１３ａの底面の幅と同じ幅で露出しており、壁部１３ｂから長手方向の末端部に向かって２段階でその幅を異ならせており、つまり、長手方向の末端部に向かって、幅狭になっている。例えば、０．４ｍｍ程度から、０．３７ｍｍ程度、さらに０．３ｍｍ程度に幅狭になっている。
一方、樹脂底面１３ｅは、長手方向の末端部から壁部１３ｂに向かってその幅を異ならせており、つまり、壁部１３ｂに向かって、幅狭になっており、壁部１３ｂに近接する開口１３ｃの底面では、樹脂底面１３ｅは存在せず、リードフレーム１２ａ、１２ｂのみが露出している。例えば、０．０５ｍｍ程度から０．０１５ｍｍ程度に幅狭になっている。
【００５０】
開口１３ｃでは、その底面で露出したリードフレーム１２ａ、１２ｂ上に、それぞれ発光素子１１ａ、１１ｂが載置され、リードフレーム１２ａ、１２ｂが、電極として発光素子の一方の電極にワイヤによって接続されている。また、発光素子１１ａ、１１ｂは、壁部１３ｂを跨いでワイヤ１４によって電気的に接続されている。
【００５１】
ワイヤ１４は、直径１８〜３０μｍ程度の銀合金製のワイヤであって、特に、発光素子１１ａ、１１ｂの電極間におけるボンディングでは、ワイヤ１４の最高部位が一方の発光素子側に偏在している（図４Ａ及び図４Ｂの１４参照）。特に、ここで用いる発光素子は、ボンディング点となるパッド電極の一方が、発光素子の外周に近接して設けられ、他方のパッド電極は、発光素子の内側に偏在しているために、発光素子１１ｂの外周に近接したパッド電極と、発光素子１１ａの内側に偏在したパッド電極との間でワイヤボンディングされている。よって、ワイヤ１４の形状は三角形の２辺に相当する形状にワイヤボンディングされており、ワイヤ１４の最高部位が、外周に近接して設けられたパッド電極にボンディングされた発光素子１１ｂ側に偏在している（図１Ｂ及び図４Ａの１４参照）。
【００５２】
また、図示していないが、この発光装置１０には、パッケージ１３の内部でのリードフレーム１２ａ、１２ｂに電気的に接続された保護素子を有している。保護素子は、例えばツェナーダイオードとすることができ、発光素子が載置されるリードフレーム１２ａ、１２ｂとは反対側の面に配置することができる。また、保護素子は、それに接続されるワイヤがリードフレーム１２ａとリードフレーム１２ｂとの間のパッケージ内部に配置されていることが好ましい。特に、壁部がリードフレーム間から、リードフレーム上に配置されている場合には、このような配置によって、ツェナーダイオードに接続されるワイヤを短くすることができ、ワイヤの断線を抑制することができる。また、透光性樹脂の熱膨張を受けにくくなり、ツェナーダイオードの剥がれや弾性をより防止することができる。
【００５３】
この発光装置は、パッケージの開口底面において、リードフレームの露出部位と樹脂の露出部位とが、特定の位置に特定の幅で配置されており、上述したように、開口側面においてパッケージ樹脂と透光性樹脂との間で剥がれまたは隙間が生じても、それらの界面に銀を含有した金属の部材が存在しない。そのために、その隙間から侵入する外気、水分等に金属の部材がさらされることなく、効果的に硫化を防止することができる。従って、金属部材の硫化による発光素子からの光の吸収を回避することができ、高輝度の発光装置を提供することができる。
また、開口内に壁部を設けることにより、開口内の空間を分断することができるために、開口内に埋め込まれる透光性樹脂の熱膨張又は収縮等に起因するワイヤ又は発光素子等に対する応力を効果的に緩和することができる。
【００５４】
言い換えると、この発光装置は、樹脂と樹脂、樹脂とリードフレーム、ワイヤ等との間の隙間の発生を効果的に防止することができる構造を有する。これによって、発光装置に用いられている銀を含有する金属部材の硫化を阻止することが可能となり、その構造及び作用と相まって、より効率的に発光素子から出射された光を取り出すことができる高輝度の発光装置を得ることができる。また、この発光装置は、小型化及び薄型化を実現するために、他の電子機器との組み合わせの自由度を向上させることができる。
【産業上の利用可能性】
【００５５】
本発明の発光装置は、発光素子として、例えば、発光ダイオードチップを搭載することにより、パッケージの側面から側面方向に光を放出するタイプの表面実装型発光装置として、ファクシミリ、コピー機、ハンドスキャナ等における画像読取装置に利用される照明装置のみならず、照明用光源、ＬＥＤディスプレイ、携帯電話機等のバックライト光源、信号機、照明式スイッチ、車載用ストップランプ、各種センサおよび各種インジケータ等の種々の照明装置に利用することができる。
【符号の説明】
【００５６】
２  ｎ側パッド電極
３  ｐ側パッド電極
１０  発光装置
１１ａ、１１ｂ  発光素子
１２ａ、１２ｂ  リードフレーム
１３  パッケージ
１３ａ  開口
１３ｂ  壁部
１３ｃ  短側面
１３ｄ  長側面
１３ｅ  樹脂底面
１３ｆ  凹部
１４  ワイヤ 
【図１Ａ】
2013179273.tif 000003
【図１Ｂ】
2013179273.tif 000004
【図２】
2013179273.tif 000005
【図３】
2013179273.tif 000006
【図４】
2013179273.tif 000007